(57)【要約】【課題】本発明は、より確実に育苗ポットの抜け出しを防止できるとともに、取り扱いが容易でコストの低い抜出防止器具及び移動用トレーを提供することを目的とする。【解決手段】本発明の抜出防止器具１０及び移動用トレー１２を、長手方向に延びる棒状部材２２と、棒状部材２２を仕切部材１８上に取り付けた時に、棒状部材２２から収納容器２０内の複数の育苗ポット１４の上方まで突出する突出部材２４と、を備え、抜出防止器具１０が仕切部材１８上に仕切部材１８と平行に着脱可能に取り付けられるように構成した。【選択図】図１
2013102761.tif 000002
【特許請求の範囲】
【請求項１】
複数の育苗ポットを複数列に収納し得るように配列された複数の収納部、及び長手方向に延び該複数の収納部間を仕切る仕切部材を備える収納容器の上部から該収納部に収納された育苗ポットが抜出するのを防止する抜出防止器具であり、
長手方向に延びる棒状部材と、
前記棒状部材を前記仕切部材上に取り付けた時に、該棒状部材から前記収納容器内に収納された複数の育苗ポットの上方まで突出する突出部材と、
を備え、前記仕切部材上に該仕切部材と平行に着脱可能に取り付けられる抜出防止器具。
【請求項２】
前記突出部材が、前記棒状部材の断面方向において左右に突出し、該棒状部材の長手方向に延び又は該棒状部材の長手方向に複数個配置される請求項１に記載する抜出防止器具。
【請求項３】
前記仕切部材が有する係合部材に係合され得る被係合部を備え、長手方向に摺動させられることにより該被係合部が該係合部材に係合され、逆方向に摺動させられることにより該被係合部が該係合部材から離脱可能な状態となる請求項１又は請求項２に記載する抜出防止器具。
【請求項４】
複数の育苗ポットを複数列に収納し得るように配列された複数の収納部、及び長手方向に延び該複数の収納部間を仕切る仕切部材を備える収納容器と、
前記収納容器内に保持した育苗ポットの上部から該育苗ポットが抜出するのを防止する抜出防止器具と、を含む育苗ポット保持具であり、
前記抜出防止器具は、
長手方向に延びる棒状部材と、
前記棒状部材を前記仕切部材上に取り付けた時に、該棒状部材から前記収納容器内の複数の育苗ポットの上方まで突出する突出部材と、
を備え、前記仕切部材上に該仕切部材と平行に着脱可能に取り付けられる移動用トレー。
【請求項５】
前記突出部材が、前記棒状部材の断面方向において左右に突出し、該棒状部材の長手方向に延び又は該棒状部材の長手方向に複数個配置される請求項４に記載する移動用トレー。
【請求項６】
前記収納容器の仕切部材は、前記抜出防止器具が係合される係合部材を有し、
前記抜出防止器具は、前記仕切部材が有する係合部材に係合され得る被係合部を備え、長手方向に摺動させられることにより該被係合部が該係合部材に係合され、逆方向に摺動させられることにより該被係合部が該係合部材から離脱可能な状態となる請求項４又は請求項５に記載する移動用トレー。
【発明の詳細な説明】
【技術分野】
【０００１】
本発明は、トレーに収納して運搬される育苗ポットが、運搬中に飛び出すのを防止するためにトレーに取り付ける抜出防止器具、及びその抜出防止器具を用いた移動用トレーに関する。
【背景技術】
【０００２】
従来から、薄い部材により鉢状に形成された育苗ポットは、育苗の作業性を高めると同時に、そのままで出荷出来る利点があり、種々の苗栽培に広く用いられてきた。通常、育苗ポットは、個々の育苗ポットが１個ずつ収容される収納部が連続して設けられたトレーか、あるいは、仕切りのない箱状であって、育苗ポットを纏めて納めるトレーに収納されて取り扱われる。
【０００３】
しかし、トレーの移動時、特に、出荷に伴う運搬中には、トラックの振動や、積み降ろし時の強い衝撃などを受けて育苗ポット苗が抜け出してしまい、苗を傷つけるトラブルが発生しやすい。そして、このようなトラブルが生ずると、出荷先は、傷ついた苗だけでなくトレー全体の苗を引き取らない場合が多く、出荷元にとっては大きな損失になる。
【０００４】
そこで、育苗ポットの抜け出しを防止できる移動用トレーとして、育苗ポット載置部に、爪状の抜け止め突起を設け、この突起を育苗ポットの排水孔に挿入して引っ掛ける構造のものが考案されている（特許文献１参照。）。また、本願発明者によって、育苗ポットの抜け出しを防止できる押さえ部材及び移動用トレーが案出されている（特許文献２〜特許文献４参照。）。
【０００５】
例えば、特許文献４に記載する移動用トレーは、縦突起及び横突起を有する押さえ部材を着脱自在に設けることにより、育苗ポットの抜け出しを防止できる。また、収納部からはみ出た育苗ポットの上縁部分が、育苗ポットの全周にわたるので、周上の任意の位置で上縁部分を指で摘むことができ、育苗ポットの取り出し操作が容易になる。一方で、より確実に育苗ポットの抜け出しを防止できるとともに、取り扱いが容易でコストの低い移動用トレーが望まれている。
【先行技術文献】
【特許文献】
【０００６】
【特許文献１】実開平５−７６２４９号公報
【特許文献２】特開２００３−２２５０１９号公報
【特許文献３】特許３５８７１０７号公報
【特許文献４】特許４１２６４０１号公報
【発明の概要】
【発明が解決しようとする課題】
【０００７】
本発明は、より確実に育苗ポットの抜け出しを防止できるとともに、取り扱いが容易でコストの低い抜出防止器具及び移動用トレーを提供することを目的とする。
【課題を解決するための手段】
【０００８】
本発明の抜出防止器具は、複数の育苗ポットを複数列に収納し得るように配列された複数の収納部、及び長手方向に延び該複数の収納部間を仕切る仕切部材を備える収納容器の上部から該収納部に収納された育苗ポットが抜出するのを防止する抜出防止器具であり、長手方向に延びる棒状部材と、前記棒状部材を前記仕切部材上に取り付けた時に、該棒状部材から前記収納容器内に収納された複数の育苗ポットの上方まで突出する突出部材と、を備え、前記仕切部材上に該仕切部材と平行に着脱可能に取り付けられることを特徴とする。
【０００９】
また、本発明の抜出防止器具は、前記抜出防止器具において、前記突出部材が、前記棒状部材の断面方向において左右に突出し、該棒状部材の長手方向に延び又は該棒状部材の長手方向に複数個配置されることを特徴とする。
【００１０】
また、本発明の抜出防止器具は、前記抜出防止器具において、前記仕切部材が有する係合部材に係合され得る被係合部を備え、長手方向に摺動させられることにより該被係合部が該係合部材に係合され、逆方向に摺動させられることにより該被係合部が該係合部材から離脱可能な状態となることを特徴とする。
【００１１】
本発明の移動用トレーは、複数の育苗ポットを複数列に収納し得るように配列された複数の収納部、及び長手方向に延び該複数の収納部間を仕切る仕切部材を備える収納容器と、前記収納容器内に保持した育苗ポットの上部から該育苗ポットが抜出するのを防止する抜出防止器具と、を含む育苗ポット保持具であり、前記抜出防止器具は、長手方向に延びる棒状部材と、前記棒状部材を前記仕切部材上に取り付けた時に、該棒状部材から前記収納容器内の複数の育苗ポットの上方まで突出する突出部材と、を備え、前記仕切部材上に該仕切部材と平行に着脱可能に取り付けられることを特徴とする。
【００１２】
本発明の移動用トレーは、前記移動用トレーにおいて、前記突出部材が、前記棒状部材の断面方向において左右に突出し、該棒状部材の長手方向に延び又は該棒状部材の長手方向に複数個配置されることを特徴とする。
【００１３】
本発明の移動用トレーは、前記移動用トレーにおいて、前記抜出防止器具は、前記抜出防止器具が係合される係合部材を有し、前記棒状部材は、前記仕切部材が有する係合部材に係合され得る被係合部を備え、長手方向に摺動させられることにより該被係合部が該係合部材に係合され、逆方向に摺動させられることにより該被係合部が該係合部材から離脱可能な状態となることを特徴とする。
【発明の効果】
【００１４】
本発明の抜出防止器具及び移動用トレーによれば、突出部材が収納容器内の育苗ポットの上方まで突出しているため、育苗ポットの運搬時に、トラックの振動や、積み降ろし時の強い衝撃などを受けても、育苗ポットが上へ抜け出ることは、突出部材により規制され、育苗ポットが上へ抜け出ることはない。このため、より確実に育苗ポットの抜け出しを防止できる。また、１本の抜出防止器具により複数の育苗ポットの抜出を防止できる。
【００１５】
また、抜出防止器具を長手方向に摺動させることにより収納容器に固定できる一方で、逆方向に摺動させることにより抜出防止器具が収納容器から離脱可能な状態として、抜出防止器具を収納容器から取り外すことができる。このため、抜出防止器具の着脱時の取り扱いが容易である。また、抜出防止器具の数を減少させてコスト低減を図ることができる。
【図面の簡単な説明】
【００１６】
【図１】本発明に係る抜出防止器具及び移動用トレーの実施形態を示す図であり、同図（ａ）は平面図であり、同図（ｂ）は正面図である。
【図２】図１に示す抜出防止器具及び移動用トレーの使用状態を示す平面図であり、同図（ａ）は抜出防止器具を取り外した状態を示し、同図（ｂ）は抜出防止器具を取り付ける時の状態を示し、同図（ｃ）は抜出防止器具を取り付けた状態を示す。
【図３】図１に示す抜出防止器具及び移動用トレーの使用状態のＡ−Ａ線断面図であり、同図（ａ）は抜出防止器具を取り外した状態を示し、同図（ｂ）は抜出防止器具を取り付ける時の状態を示し、同図（ｃ）は抜出防止器具を取り付けた状態を示す。
【図４】図１に示す抜出防止器具及び移動用トレーの使用状態のＢ−Ｂ線断面図である。
【図５】本発明に係る抜出防止器具及び移動用トレーの他の実施形態を示す平面図である。
【図６】本発明に係る抜出防止器具及び移動用トレーの更に他の実施形態を示す平面図である。
【図７】本発明に係る抜出防止器具及び移動用トレーの更に他の実施形態を示す平面図である。
【図８】本発明に係る抜出防止器具及び移動用トレーの更に他の実施形態を示す平面図である。
【図９】本発明に係る抜出防止器具及び移動用トレーの更に他の実施形態を示すＡ−Ａ線断面図である。
【図１０】本発明に係る抜出防止器具及び移動用トレーの更に他の実施形態を示す平面図である。
【図１１】図１０の抜出防止器具及び移動用トレーの作用を示す正面断面図である。
【図１２】本発明に係る抜出防止器具及び移動用トレーの更に他の実施形態を示す平面図である。
【発明を実施するための形態】
【００１７】
次に、本発明の実施形態について、図面に基づいて詳細に説明する。図１〜図４において、符号１０は、本発明の抜出防止器具であり、符号１２は、本発明の移動用トレーである。
【００１８】
本発明の抜出防止器具１０は、長方形の外枠１３、複数の育苗ポット１４を複数列複数行に収納し得るように外枠１３内に配列された複数の収納部１６、及び長手方向に延び複数の収納部１６間を仕切る仕切部材１８を備える収納容器２０の上部から収納部１６に収納された育苗ポット１４が抜出するのを防止する抜出防止器具であり、長手方向に延びる棒状部材２２と、棒状部材２２を仕切部材１８上に取り付けた時に、棒状部材２２から収納容器２０内の複数の育苗ポット１４の上方まで突出する突出部材２４と、を備え、仕切部材１８上に仕切部材１８と平行に着脱可能に取り付けられる。移動用トレー１２は、収納容器２０及び抜出防止器具１０を含んで構成される。複数列とは、Ｘ軸方向に配列された育苗ポット１４群がＹ軸方向に複数であることを言い、複数行とは、Ｙ軸方向に配列された育苗ポット１４群がＸ軸方向に複数であることを言う。
【００１９】
各収納部１６は、リング状の１枚の底板２６と、底板２６から斜め上へ延びる４枚の側板２８とから構成されている。仕切部材１８は、図１に示すように、Ｘ軸方向に５本配列された構成部材３０と、Ｙ軸方向に３本配列された構成部材３２とから構成されている。構成部材３０の上部には、収納部１６に収納している育苗ポット１４の上端５０付近を手で摘んで取り出しやすいように、切り欠き窓４８が設けられている。底板２６、側板２８、構成部材３０及び構成部材３２は、樹脂から成り、一体に成形される。
【００２０】
突出部材２４は、図４に示すように、棒状部材２２の断面方向において棒状部材２２から一体的に左右に突出する。また、突出部材２４は、棒状部材２２の長手方向に、棒状部材２２と一体的に延び、抜出防止器具１０は逆Ｔ字形状の断面を有する。突出部材２４は、図２に示すように、３箇所に一対の切り欠き３４が設けられ、３対の切り欠き３４が下へ向かって、仕切部材１８に固定された３対の係合部材３６を通過させられた後に、Ｘ軸負方向に摺動させられ、係合部材３６の下部に係合されることにより、抜出防止器具１０が仕切部材１８上に固定されるように構成されている。すなわち、突出部材２４が、仕切部材１８が有する係合部材３６に係合され得る被係合部を構成する。一方で、Ｘ軸正方向（逆方向）に摺動させられることにより、切り欠き３４と係合部材３６の位置が合致し、切り欠き３４が上に向かって係合部材３６を通過可能な状態となり、抜出防止器具１０が、仕切部材１８から離脱可能な状態となるように構成されている。抜出防止器具１０の下面には、抜出防止器具１０の高さ調節のために、金具４２が設けられている。金具４２を仕切部材１８側に設けてもよい。
【００２１】
なお、棒状部材２２の一端付近には、図３に示すように、手で保持した状態で、抜出防止器具１０をＸ軸方向に摺動させるための摘み３８が設けられている。摘み３８の下部には、突起４０が固定され、突起４０を仕切部材１８の孔４４に圧入して、抜出防止器具１０のＸ軸方向の摺動を規制できるように構成されている。突起４０又は孔４４は、突起４０を孔４４に圧入して固定できる一方で、突起４０を孔４４から離脱させることができるように、突起４０を圧入する時に弾性的に変形することが好ましい。摘み３８は、正面断面図において、Ｌの字形状であってもよい。
【００２２】
このような構成の抜出防止器具１０及び移動用トレー１２を用いて、苗４６が植えられた育苗ポット１４を運搬する場合の作用について以下に説明する。
【００２３】
まず、苗４６が植えられた育苗ポット１４を、図２（ａ）及び図３（ａ）に示すように、抜出防止器具１０が取り外されている収納容器２０の収納部１６内に上から挿入する。育苗ポット１４を収納部１６内に入れた時、育苗ポット１４の上端５０は、図３に示す断面図において、切り欠き窓４８内に位置する状態となる。
【００２４】
次に、抜出防止器具１０を手で保持し、図３（ｂ）に示すように、切り欠き３４と係合部材３６の位置を合致させた状態で、抜出防止器具１０を係合部材３６の下部まで通過させる。抜出防止器具１０を係合部材３６の下部まで通過させた状態で、摘み３８を保持して図２（ｃ）及び図３（ｃ）に示すように、抜出防止器具１０をＸ軸負方向に摺動させることにより、突出部材２４が係合部材３６の下部に係合され、突起４０が孔４４に圧入され、抜出防止器具１０が収納容器２０に取り付けられる。抜出防止器具１０が収納容器２０に取り付けられた時、突出部材２４が棒状部材２２から収納容器２０内の育苗ポット１４の上方まで突出する。ここで、突出部材２４は、棒状部材２２の断面方向において左右に突出し、棒状部材２２の長手方向に延びるため、１本の抜出防止器具１０により、左右６個ずつの合計１２個の育苗ポット１４の上方まで突出する。抜出防止器具１０を収納容器２０に取り付けた後に、育苗ポット１４を収納部１６内に押し込んでもよい。
【００２５】
このようにして、抜出防止器具１０が収納容器２０に取り付けられた移動用トレー１２に育苗ポット１４が収納された状態で、育苗ポット１４の運搬が行われる。育苗ポット１４の運搬時には、トラックの振動や、積み降ろし時の強い衝撃などを受けるが、突出部材２４が収納容器２０内の育苗ポット１４の上方まで突出しているため、育苗ポット１４が上へ抜け出ることは、突出部材２４により規制され、育苗ポット１４が上へ抜け出ることはない。
【００２６】
育苗ポット１４を運搬した後に育苗ポット１４を移動用トレー１２から取り出す時には、摘み３８を保持して抜出防止器具１０をＸ軸正方向に摺動させ、切り欠き３４と係合部材３６の位置を合致させる。切り欠き３４と係合部材３６の位置を合致させた状態で、抜出防止器具１０を係合部材３６の上まで通過させることにより、抜出防止器具１０が収納容器２０から取り外され、育苗ポット１４を移動用トレー１２から取り出すことができる。
【００２７】
また、抜出防止器具１０及び移動用トレー１２によれば、１本の抜出防止器具１０が備える突出部材２４が、左右６個ずつの合計１２個の育苗ポット１４の上方まで突出するため、１本の抜出防止器具１０により１２個の育苗ポット１４の抜出を防止できる。よって、２４個の育苗ポット１４を収納する収納容器２０に収納する全ての育苗ポット１４の抜出防止を、２本の抜出防止器具１０によって行うことができ、収納する全ての育苗ポット１４の抜出防止を行うことができる。さらに、抜出防止器具１０を長手方向に摺動させることにより収納容器２０に固定できる一方で、逆方向に摺動させることにより抜出防止器具１０が収納容器２０から離脱可能な状態として、抜出防止器具１０を収納容器２０から取り外すことができる。このため、抜出防止器具１０の着脱時の取り扱いが容易である。また、抜出防止器具１０の数を減少させてコスト低減を図ることができる。
【００２８】
以上、本発明の一実施形態について説明したが、本発明は上述の実施形態に限定されない。
【００２９】
例えば、収納容器２０において、図５に示すように、Ｘ軸方向に配列される構成部材３０を備えず、Ｙ軸方向に配列された構成部材３２のみを備えてもよい。この場合、１個の収納部１６に６個の育苗ポット１４が収納される。この場合においても、１本の抜出防止器具１０により１２個の育苗ポット１４の抜出を防止でき、２４個の育苗ポット１４を収納する収納容器２０に収納する全ての育苗ポット１４の抜出防止を、２本の抜出防止器具１０によって行うことができる。
【００３０】
また、抜出防止器具１０において、突出部材２４は棒状部材２２の長手方向に延びるものに限定されず、図６に示すように、棒状部材２２の長手方向に６個（複数個）配置されるものであってもよい。この場合においても、２４個の育苗ポット１４を収納する収納容器２０に収納する全ての育苗ポット１４の抜出防止を、２本の抜出防止器具１０によって行うことができる。
【００３１】
また、抜出防止器具１０において、３対の切り欠き３４及び３対の係合部材３６を設けることに限定されず、図７に示すように、６対の切り欠き３４及び６対の係合部材３６を設けてもよい。この場合、抜出防止器具１０が撓むことなく、抜出防止器具１０を収納容器２０へ、より確実に固定できる。さらに、図８に示すように、６箇所に、抜出防止器具１０の断面方向において左又は右のいずれか一方に、切り欠き３４及び係合部材３６を設けてもよい。この場合、最少限の切り欠き３４及び係合部材３６により、抜出防止器具１０が撓むことなく、抜出防止器具１０を収納容器２０へ、より確実に固定できる。
【００３２】
また、抜出防止器具１０において、図９（ａ）に示すように、切り欠き３４を突起４０からＸ軸負方向に離隔させて設け、係合部材３６を切り欠き３４合致できる位置に設けてもよい。この場合、抜出防止器具１０をＸ軸負方向に摺動させる時、図９（ｂ）に示すように、抜出防止器具１０は、係合部材３６を支点として撓むように弾性変形した後、元の形状に戻るように弾性変形しながら、図９（ｃ）に示すように、突起４０が孔４４に挿入され、収納容器２０から離脱するのを防止できる。
【００３３】
また、抜出防止器具１０において、図１０に示すように、２本の棒状部材２２を板状の連結部材６２で連結した平面図におけるコの字形状に構成し、２本の仕切部材１８上に取り付けるように構成してもよい。正面断面図の右端付近においては、図１１（ａ）に示すように、連結部材６２が上へ突出し、全体としてＬの字形状に構成されている。連結部材６２は、摘み３８としても機能する。また、移動用トレー１２の仕切部材１８には、図１１（ｂ）に示すように、抜出防止器具１０の左側先端を挿入する留め具６０が設けられ、移動用トレー１２を持ち上げた時に、図１１（ｃ）に示すように、育苗ポット１４の重量によって収納容器２０が弛んだ場合には、抜出防止器具１０の左側先端が仕切部材１８に対してＸ軸負方向に摺動し、抜出防止器具１０に不自然な力が付加されて破損しないように構成されている。
【００３４】
また、図１２に示すように、抜出防止器具１０は、５本の棒状部材２２及び３本の連結部材６２から構成されることにより、平面図における格子形状に構成してもよい。この場合、抜出防止器具１０は、ピン６４によって、Ｙ軸方向に摺動可能に収納容器２０に取り付けられている。図１２の状態においては、棒状部材（突出部材）２２は収納容器２０内に収納された複数の育苗ポット１４の上方まで突出するが、抜出防止器具１０をピン６４に対してＹ軸正方向に摺動させることにより、育苗ポット１４を移動用トレー１２から取り出すことができる。
【００３５】
以上、実施形態について図面に基づいて説明したが、本発明は図示した実施形態に限定されない。例えば、１個の収納容器が収納する育苗ポットの数量は特に限定されない。
【産業上の利用可能性】
【００３６】
本発明の抜出防止器具及び移動用トレーは、より確実に育苗ポットの抜け出しを防止できるとともに、取り扱いが容易でコストの低減を図ることができる。このため、育苗ポットの移動のために広く利用できる。
【符号の説明】
【００３７】
１０：抜出防止器具
１２：移動用トレー
１３：外枠
１４：育苗ポット
１６：収納部
１８：仕切部材
２０：収納容器
２２：棒状部材
２４：突出部材
２６：底板
２８：側板
３０，３２：構成部材
３４：切り欠き
３６：係合部材
３８：摘み
４０：突起
４２：摺動部材
４４：孔
４６：苗
４８：切り欠き窓
５０：上端
【図１】
2013102761.tif 000003
【図２】
2013102761.tif 000004
【図３】
2013102761.tif 000005
【図４】
2013102761.tif 000006
【図５】
2013102761.tif 000007
【図６】
2013102761.tif 000008
【図７】
2013102761.tif 000009
【図８】
2013102761.tif 000010
【図９】
2013102761.tif 000011
【図１０】
2013102761.tif 000012
【図１１】
2013102761.tif 000013
【図１２】
2013102761.tif 000014